(57)【要約】【課題】好適な撮影を実現し得る光学機器を提供すること。【解決手段】撮影装置を収納する筐体と、前記筐体の外部と内部との間を貫通する第１貫通部と、前記第１貫通部とは異なる位置において前記筐体の外部と内部との間を貫通する第２貫通部と、前記第１貫通部および前記第２貫通部と係合し、前記第１貫通部および前記第２貫通部を塞ぐ蓋部材と、を含むことを特徴とする光学機器。【選択図】図１
2010197939.tif 000002
【特許請求の範囲】
【請求項１】
撮影装置を収納する筐体と、
前記筐体の外部と内部との間を貫通する第１貫通部と、
前記第１貫通部とは異なる位置において前記筐体の外部と内部との間を貫通する第２貫通部と、
前記第１貫通部および前記第２貫通部と係合し、前記第１貫通部および前記第２貫通部を塞ぐ蓋部材と、を含むことを特徴とする光学機器。
【請求項２】
請求項１に記載された光学機器であって、
前記第１貫通部は、流体を供給する流体供給装置に係合可能な前記筐体の外部に備えられた係合部を有することを特徴とする光学機器。
【請求項３】
請求項１または請求項２に記載された光学機器であって、
前記第１貫通部および前記第２貫通部の少なくとも一方は、前記蓋部材と係合することにより水密になる第１係合位置と、前記蓋部材と係合しても前記第１貫通部および前記第２貫通部の少なくとも一方を介して前記筐体の外部と内部とが通気する第２係合位置とを有することを特徴とする光学機器。
【請求項４】
請求項１から請求項３までの何れか一項に記載された光学機器であって、
前記筐体は、前記第１貫通部および前記第２貫通部が備えられた第１平面と、前記第１平面とは異なる第２平面とを有することを特徴とする光学機器。
【請求項５】
請求項１から請求項４までの何れか一項に記載された光学機器であって、
前記第１貫通部は、前記筐体の内部から前記筐体の外部への前記流体の流れを妨げる第１逆止弁を有し、
前記第２貫通部は、前記筐体の外部から前記筐体の内部への前記流体の流れを妨げる第２逆止弁を有することを特徴とする光学機器。
【請求項６】
請求項１から請求項５までの何れか一項に記載された光学機器であって、
前記筐体の内部に備えられ、前記第１貫通部から流入された前記流体を前記第２貫通部から流出する流路を有することを特徴とする光学機器。
【請求項７】
請求項１から請求項６までの何れか一項に記載された光学機器であって、
前記蓋部材は前記第１貫通部と係合する第１蓋部と、前記第１蓋部とは独立に備えられ前記第２貫通部と係合する第２蓋部とを有することを特徴とする光学機器。
【請求項８】
請求項１から請求項７までの何れか一項に記載された光学機器であって、
前記第１および第２貫通部がそれぞれ構成する前記流体の流路中の一方には、前記流体を前記筐体の外部から内部へ、または内部から外部への一方向にのみ通す逆止弁が設けられていることを特徴とする光学機器。
【発明の詳細な説明】
【技術分野】
【０００１】
本発明は光学機器に関する。
【背景技術】
【０００２】
従来、カメラやビデオカメラを収容して用いる水中撮影用のハウジングは、ハウジング内での結露を防止するために、カメラを収容する際にシリカゲル等の乾燥剤を封入したり、カメラに設けられたＣＣＤや回路素子が作動時に発生する熱をハウジングのカバーガラスに伝達させて当該カバーガラスの結露を防止したりしていた（例えば、特許文献１参照）。
【０００３】
また、水中で使用する機器であるため、ハウジングの内圧よりも外圧の方が高い状況しか想定されていなかった。
【先行技術文献】
【特許文献】
【０００４】
【特許文献１】特開２００４−２０７９８号公報
【発明の概要】
【発明が解決しようとする課題】
【０００５】
本発明は好適な撮影を実現し得る光学機器を提供することを課題とする。
【課題を解決するための手段】
【０００６】
上記課題を解決するため、本発明に係る光学機器は、撮像装置を収納する筐体と、前記筐体の外部と内部との間を貫通する第１貫通部と、前記第１貫通部とは異なる位置において前記筐体の外部と内部との間を貫通する第２貫通部と、前記第１貫通部および前記第２貫通部と係合し、前記第１貫通部および前記第２貫通部を塞ぐ蓋部材と、を含むことを特徴とする。
【発明の効果】
【０００７】
本発明によれば、好適な撮影を実現し得る光学機器を提供することができる。
【図面の簡単な説明】
【０００８】
【図１】実施形態に係るカメラハウジングの全体の構成を示す斜視図である。
【図２】通気口の構造を示す断面図である。
【図３】（ａ）は図２のＸ−Ｘ線の断面図であり、（ｂ）は図２のＹ−Ｙの断面図である。
【図４】実施形態に係るカメラハウジングの一つの実施例を示す図である。
【発明を実施するための形態】
【０００９】
以下、本発明の実施形態について図面を参照しつつ説明する。
【００１０】
図１は本発明の一つの実施形態に係るカメラハウジング１の全体の構成を示す斜視図である。
【００１１】
図１に示すように、本実施形態に係るカメラハウジング（以下、ハウジングと略記する。）１は略六面体の筐体３を有している。筐体３は対をなすフロントケース５とリアケース７とから構成されている。フロントケース５およびリアケース７は、いずれも上蓋のない箱形状に形成されている。フロントケース５とリアケース７の開口側の端部を相互に対向させて密着させることで内部空間を有する筐体３が形成されている。本実施形態では、フロントケース５とリアケース７はポリカーボネイトで成形されているが、アルミ削り出しにより成形しても良い。
【００１２】
フロントケース５はハウジング１の本体部を構成し、リアケース７はハウジング１の背面カバーとしての機能を有する。フロントケース５とリアケース７とは開口側の端部がヒンジ９で連結されており、背面カバーとなるリアケース７はヒンジ９によりフロントケース５に対して開閉できるようになっている。フロントケース５とリアケース７の開口側の端部には、それぞれ全周に亘ってパッキン１１、１３が取り付けられている。リアケース７を閉じ、これら端部のパッキン１１、１３どうしを密着させ、図示しないロック機構でフロントケース５とリアケース７とをロックすることにより内部空間は水密に閉じられる。
【００１３】
フロントケース５とリアケース７とによって形成される筐体３の内部空間には撮影装置（本実施形態ではスチルカメラ（図示省略）、以下カメラと略記する。）が収容できるようになっている。フロントケース５にはカメラの主要部が収容され、リアケース７にはカメラの一部が収容される。あるいは、フロントケース５にカメラの全体が収容され、リアケース７は背面カバーとしてのみ機能する。フロントケース５の前壁５ａには、外方に突出する筒部１５が設けられている。筒部１５の先端部近傍の内周側にはガラス板１７がはめ込まれている。筒部１５の内周面とガラス板１７の周縁部とはパッキン等のシール部材（図示省略）により防水可能にシールされている。筐体３の内部に収容したカメラの撮影レンズ（図示省略）はガラス板１７の内側に位置するようになっており、ガラス板１７を通して筐体３の外部の被写体を撮影できるようになっている。
【００１４】
図1に示すように、フロントケース５の正面視左側には水中でハウジング１を保持しやすいようにグリップ２１が形成されている。グリップ２１はヒンジ９と反対側に設けられているので、グリップ２１にフロントケース５とリアケース７のロック機構を設けても良い。また、撮影者がグリップ２１を握った状態で内部に収容したカメラの操作ができるようにフロントケースの上壁５ｂにはレリーズボタン２３が設けられている。筒部１５の上側にはストロボディフューザ２５が設けられている。
【００１５】
図１に示すように、筐体３の一方の側壁、本実施形態においては、フロントケース５の正面視右側の側壁５ｃには、２つの通気口２７、２９が設けられている。通気口２７、２９は筐体３の側壁３を貫通し、筐体３の内部と外部とを連通している。通気口２７、２９の孔はそれぞれ空気の流路を構成している。通気口２７、２９にはそれぞれキャップ３１、３３が着脱可能に取り付けられている。図１はキャップ３１、３３が取り付けられた状態を示している。
【００１６】
図２は通気口２７の構造を示す断面図である。なお、通気口２９の構造も同様である。
【００１７】
通気口２７は、筐体３の側壁５ｃを貫いて設けられた筒部材３５の孔３５ａによって形成されている。筒部材３５は筐体３の側壁５ｃから外部に垂直に突出している突出部３５ｂと、筐体３に嵌合する嵌合部３５ｃと、筒部材３５の径方向に延在する鍔部３５ｄとから構成されている。筒部材３５は、嵌合部３５ｃが筐体３の側壁５ｃに設けられた孔３９に嵌合し、鍔部３５ｄが側壁５ｃの外部側に当接することで筐体３の側壁５ｃに固定されている。嵌合部３５ｃと筐体３の側壁５ｃの孔３９とは防水可能に接合され、あるいはシール部材（図示省略）でシールされている。なお、本実施形態では筐体３と通気口２７を構成する筒部材３５とは別部材で構成しているが、筐体３の側壁５ｃに筐体３と一体に突出部３５ｂを形成しても良い。この場合、突出部３５ｂを垂直に貫く孔３５ａは、突出部３５ｂを成形した後に穿設しても良いし、筐体３および突出部３５ｂを成形する際に同時に形成しても良い。
【００１８】
また、２つの通気口２７、２９の一方あるいは双方の突出部３５ｂ、３７ｂ（３７ｂについては図４参照）の形状を、ダイビング用の浮力調整具（ＢＣＤジャケット）のレギュレータ用中圧ホース接続用の継手部と同様の形状としても良い。このような形状とすれば、後述する実施例のように、レギュレータ用中圧ホースのジョイント部を直接通気口の突出部３５ｂ、３７ｂに接続することができ、便利である。
【００１９】
突出部３５ｂの先端側、すなわち通気口２７の外部側開口部の外周には雄ネジ部４１が設けられている。雄ネジ部４１は、突出部３５ｂの軸方向で外部側の先端から中央部に亘って形成されている。また、突出部３５ｂの嵌合部３５ｃ側の外周にはＯリング４３が設けられている。Ｏリング４３の外径寸法は、突出部３５ｂの雄ネジ部４１の外径寸法よりも大きくなっている。
【００２０】
突出部３５ｂに着脱可能なキャップ３１は、筒部材３５の突出部３５ｂの外周を覆う内周面３１ａと、通気口２７の外部側開口部を覆う底面部３１ｂとを有している。キャップ３１の内周面３１ａには雌ネジ部４５が形成されている。雌ネジ部４５は底面部３１ｂからキャップ３１の開口側近傍まで形成されており、はめ合い長さは突出部３５ｂに形成された雄ネジ部４１の軸方向の長さに対応している。キャップ３１は、雌ネジ部４５が突出部３５ｂの外周面に形成された雄ネジ部４１と係合することで突出部３５ｂに取り付けられる。
【００２１】
キャップ３１の開口側近傍の内周面３１ａには雌ネジ部４５は形成されておらず、滑らかに形成されている。雌ネジ部４５が形成されていない内周面部分の内径は、雌ネジ部４５の内径よりも大きくなっている。この滑らかな内周面部分は、キャップ３１を突出部３５ｂに取り付けたときに、突出部３５ｂに設けられたＯリング４３が接触するＯリング当接部４７を構成している。
【００２２】
Ｏリング当接部４７には、図２に示すように、Ｏリング当接部４７の軸方向でキャップ３１の開口側端部からＯリング当接部４７の中央部に亘ってスリット５０が形成されている。スリット５０の軸方向の長さは、Ｏリング４３の厚さと同程度である。本実施形態では、スリット５０は対向する位置に２箇所形成されている（図３（ａ）参照）。Ｏリング当接部４７の当該スリット５０が形成された部分は、キャップ３１を突出部３５ｂに取り付けても、Ｏリング４３とＯリング当接部４７との間にはスリット５０によって形成された空間が介在し、Ｏリング４３と接触しない。つまり、Ｏリング当接部４７の軸方向の範囲で、全周のうちの一部にスリット５０を含む範囲は、キャップ３１を突出部３５ｂに取り付けても、Ｏリング当接部４７とＯリング４３とが接触しない部分を有している。一方、Ｏリング当接部４７の軸方向の範囲で、全周に亘ってスリット５０が形成されていない範囲は、キャップ３１を突出部３５ｂに取り付けると、Ｏリング４３と全周に亘って接触する。このように、スリット５０をＯリング当接部４７の軸方向の一部に亘って設けることで、Ｏリング当接部４７は、Ｏリング４３と全周に亘って接触する範囲と、全周のうち一部はＯリング４３と接触しない部分を有する範囲とが形成されている。なお、キャップ３３もキャップ３１と同様の構成となっている。
【００２３】
次に、このような構成のキャップ３１を通気口２７の突出部３５ｂに取り付けたときのＯリング４３とＯリング当接部４７の状態について、図２および図３を参照して説明する。
【００２４】
図２において、キャップ３１を筐体３の側壁５ｃに近づける方向に移動し、キャップ３１の雌ネジ部４５と突出部３５ｂの雄ネジ部４１との係合を開始させる。キャップ３１を突出部３５ｂにねじ込んで係合を深めて行き、Ｏリング当接部４７のスリット５０がＯリング４３と径方向に重なる位置でキャップ３１を突出部３５ｂに係止させる。この位置は、Ｏリング４３がキャップ３１に対して図２のＸ−Ｘ線で示す位置にある状態である。この状態ではキャップ３１の底面部３１ｂは突出部３５ｂの先端の外部側開口部に達していない。この状態におけるＸ−Ｘ線の断面図を図３（ａ）に示す。図３（ａ）に示すように、Ｏリング４３とＯリング当接部４７との間の一部には、スリット５０によって形成された空間５２が介在している。このため、通気口２７の内部側と外部側とは完全に遮断されておらず、この空間５２を介して筐体３の内部と外部とは通気が可能である。
【００２５】
この状態からさらにキャップ３１を筐体３に近づける方向にねじ込んで係合を深くすると、Ｏリング当接部４７のスリット５０が形成された範囲はＯリング４３を通過し、Ｏリング４３と全周に亘って接触する範囲がＯリング４３の位置まで移動する。すなわち、Ｏリング４３がキャップ３１に対して図２のＹ−Ｙ線で示す位置に相対的に移動する。この位置でキャップ３１を突出部３５ｂに係止させた状態におけるＹ−Ｙ線の断面図を図３（ｂ）に示す。この状態では、図３（ｂ）に示すように、Ｏリング４３とＯリング当接部４７とは全周に亘って接触している。Ｏリング４３とＯリング当接部４７との全周に亘る接触により、通気口２７の内部側と外部側とは完全に遮断され、通気口２７は水密に保たれる。
【００２６】
このように、通気口２７は突出部３５ｂに対するキャップ３１の係止位置により、通気口２７の内部側と外部側とが通気可能な状態と水密になる状態との何れかの状態にすることができる。別言すると、キャップ３１の突出部３５ｂに対する係止位置は、通気口２７を介して筐体３の内部と外部とが通気可能な位置と、通気口２７が外部に対して水密になる位置とで選択可能となっている。本実施形態では、２つの通気口２７、２９は同様の構成としているが、一方の通気口２７は上記構成とし、他方の通気口２９はスリット５０を設けずに水密となる位置でのみキャップ３３が係止するようにしても良い。
【００２７】
本実施形態に係るハウジング１は、このような構成とすることで、ハウジング１をセッティングした状態、すなわちカメラ（図示省略）をハウジング１内に収容し、フロントケース５とリアケース７とを閉じた状態でも飛行機で運搬することが可能になるという効果を発揮する。本実施形態によれば、２つの通気口２７、２９の両方あるいは一方を通気可能な位置でキャップ３１、３３と係合させておけば、ハウジング１内部の気圧は飛行中も周囲の気圧と均衡するので、地上に降りた際に相対的にハウジング１の内圧が下がってしまうことはない。したがって、ハウジング１が開けられなくなってしまうおそれがない。
【００２８】
さらに、本実施形態に係るカメラハウジング１は、セッティングした状態で運搬できるので、セッティングは予め清浄な環境で行なうことできるという効果を発揮する。ハウジング１のセッティングはＯリング４３やパッキン１１、１３へのゴミの噛み込みが極力少ない環境で行なうのが望ましい。しかし、撮影を行なう地でセッティングを行なう場合、必ずしもセッティングに適した環境で行なえるとは限らない。清浄とはいえない環境でハウジング１のセッティングを行なえば、パッキン１１、１３等にゴミが噛み込む可能性が高くなり、ゴミを噛み込んだ状態で使用すると水没のリスクが伴う。本実施形態によれば、予め清浄な環境でハウジング１のセッティングを行い、撮影を行なう地では通気口２７、２９のゴミの除去を行なうのみで済み、水没のリスクを最小限に留めることができる。
【００２９】
次に、図４を参照して、本実施形態に係るハウジング１の一つの実施例を説明する。本実施例では、通気口２７、２９の突出部３５ｂ、３７ｂの形状は、ダイビング用の浮力調整具（ＢＣＤジャケット）の中圧ホース接続用の継手部と同様の形状をしている。
【００３０】
カメラ（図示省略）をフロントケース５とリアケース７とで形成された筐体３の内部空間に収納し、フロントケース５とリアケース７とを水密に閉じる。その後、図４に示すように、２つの通気口２７、２９のキャップ３１、３３を取り外し、通気口２７、２９を外部に開放とする。一方の通気口２７に外部の空気供給装置（本実施例においてはダイビング用の圧縮空気タンク、以下タンクと略記する。）６０から圧縮空気を筐体３の内部に供給する。タンク６０からの圧縮空気は減圧装置（レギュレータ）６２で一次減圧され、レギュレータ用中圧ホース６４を介して供給される。本実施例は、通気口２７、２９の突出部３５ｂ、３７ｂの形状がダイビング用の浮力調整具（ＢＣＤジャケット、図示省略）の中圧ホース接続用の継手部と同様の形状をしているので、レギュレータ用中圧ホース６４のジョイント部６６を直接通気口２７または２９に接続できる。
【００３１】
一方の通気口２７から供給されたタンク６０の圧縮空気は、ハウジング１内を掃気して他方の通気口２９から外部に排気される。タンク６０から供給された空気はカメラのレンズ（図示省略）の周辺を通り、カメラとハウジング１内面との隙間を通って排気用の通気口２９に向かう。通常、タンク６０内の圧縮空気はタンク６０内面の錆びの発生を防ぐために除湿してある。この除湿してある空気でハウジング１内を掃気するので、ハウジング１内部の湿度を下げることができる。その結果、ハウジング１内面の結露を防止することができる。また、タンク６０内の空気は圧力が高いので、ハウジング１内部の空気は短時間で入れ替わり、迅速な作業が可能となる。ハウジング１内の掃気が終了したら２つの通気口２７、２９のキャップ３１、３３を水密となる位置まで突出部３５ｂ、３７ｂにねじ込み係止する。２つの通気口２７、２９を水密に封止したらハウジング１を水中で使用することができる。
【００３２】
このように、本実施例によれば、シリカゲル等の乾燥剤を用いずにハウジング１内面の結露を防止することができる。
【００３３】
本実施形態では２つの通気口２７、２９が設けられているので、通気口２７、２９の使用時には上述した実施例のように一方を筐体３の外部から内部へ空気を供給するための給気用の通気口とし、他方を筐体３の内部の空気を外部に排出するための排気用の通気口として用いる。なお、一方の通気口２７の空気の流路中に空気を筐体３の外部から内部への一方向にのみ通し、逆方向には通さない逆止弁（図示省略）を設けて給気用の通気口とし、他方の通気口２９の空気の流路中に空気を筐体３の内部から外部への一方向にのみ通し、逆方向には通さない逆止弁（図示省略）を設けて排気用の通気口として、２つの通気口２７、２９の用途を分けて設定しても良い。あるいは、給気用とする通気口２７にのみ空気を筐体３の外部から内部への一方向にのみ通し、逆方向には通さない逆止弁を設けても良いし、排気用とする通気口２９にのみ空気を筐体３の内部から外部への一方向にのみ通し、逆方向には通さない逆止弁を設けても良い。
【００３４】
また、上記実施形態および実施例ではハウジング１の内部にスチルカメラを収容した形態を説明したが、ハウジング１の内部に収容する撮影装置はスチルカメラに限らずビデオカメラでも良い。また、２つの通気口２７、２９にそれぞれ取り付けるキャップ３１、３３は、別個のキャップとせずに一体に形成しても良い。また、Ｏリング当接部４７に設けるスリット５０の数および位置は特に限定されない。
【００３５】
また、上記実施形態および実施例は、防水機能を有するカメラ本体に適用することもできる。つまり、防水機能を有するカメラ本体に上記実施形態および実施例のような通気口２７、２９を設けて結露を防止するようにしても良い。
【００３６】
このように、本発明の構成は上記実施形態および実施例に限定されるものではなく、適宜変更が可能である。
【符号の説明】
【００３７】
１  カメラハウジング
３  筐体
５  フロントケース
５ａ  前壁
５ｂ  上壁
５ｃ  側壁
７  リアケース
９  ヒンジ
１１、１３  パッキン
１５  筒部
１７  ガラス板
２１  グリップ
２３  レリーズボタン
２５  ストロボディフューザ
２７、２９  通気口
３１、３３  キャップ
３１ａ  内周面
３１ｂ  底面部
３５、３７  筒部材
３５ａ、３７ａ  孔
３５ｂ、３７ｂ  突出部
３５ｃ  嵌合部
３５ｄ  鍔部
３９  孔
４１  雄ネジ部
４３  Ｏリング
４５  雌ネジ部
４７  Ｏリング当接部
５０  スリット
５２  空間
６０  空気供給装置
６２  減圧装置
６４  レギュレータ用中圧ホース
６６  ジョイント部
【図１】
2010197939.tif 000003
【図２】
2010197939.tif 000004
【図３】
2010197939.tif 000005
【図４】
2010197939.tif 000006